【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
ＤＳＬリンクに関連する雑音を特性化する方法であって、
ＤＳＬリンクの安定性のレベルを示すデータを受信するステップと、
前記データが、第１の最小閾値を上回る又は下回る前記ＤＳＬリンクの安定性のレベルを示すかどうかを決定するステップと、  
前記ＤＳＬリンクの安定性の前記レベルが前記第１の最小閾値を下回るとの決定に応答して、故障時の前の前記ＤＳＬリンクに関連する雑音と前記故障時の後の前記ＤＳＬリンクに関連する雑音とを比較するステップであって、
故障時の前の前記ＤＳＬリンクに関連する前記雑音及び前記故障時の後の前記ＤＳＬリンクに関連する前記雑音間の第２の閾値を超える差異が、前記ＤＳＬリンクに関連する固定雑音として特性化され、かつ
故障時の前の前記ＤＳＬリンクに関連する前記雑音及び前記故障時の後の前記ＤＳＬリンクに関連する前記雑音間の前記第２の閾値を下回る差異が、前記故障が前記ＤＳＬリンクへの電力損失に関連するかどうか又は前記故障が重大なインパルス雑音イベントに関連するかどうかのさらなる決定に従って特性化されるステップと、
前記ＤＳＬリンクの安定性の前記レベルが前記第１の最小閾値を下回るとの決定に応答して、故障時の前の前記ＤＳＬリンクに関連する雑音と前記故障時の後の前記ＤＳＬリンクに関連する前記雑音間の前記差異の前記特性化を記録するステップと、
を備える、方法。
【請求項２】
故障時の前の前記ＤＳＬリンクに関連する雑音と前記故障時の後の前記ＤＳＬリンクに関連する雑音とを比較するステップが、
前記データに基づいて前記ＤＳＬリンクの故障時を推定するステップと、
前記推定される故障時の前の前記ＤＳＬリンクに関連する雑音と前記推定される故障時の後の前記ＤＳＬリンクに関連する雑音とを比較するステップとを含む、請求項１に記載の方法。
【請求項３】
経時的な前記受信されるデータの分布を評価するステップをさらに備え、かつ前記データが、前記第１の最小閾値を上回る又は下回る前記ＤＳＬリンクの安定性のレベルを示すかどうかを決定するステップは、前記データの分布が、前記第１の最小閾値を上回る又は下回る前記ＤＳＬリンクの安定性のレベルを示すかどうかを決定するステップを備える、請求項１に記載の方法。
【請求項４】
前記故障時の前及び前記故障時の後の前記雑音間の前記差異は、複数の異なる周波数に対応する値のベクトルとして計算され、かつ前記第１の閾値は、前記複数の異なる周波数の数に対する閾値を備える、請求項１に記載の方法。
【請求項５】
前記故障が重大なインパルス雑音イベントに関連するかどうかの前記さらなる決定は、前記故障時と同じ又は同様の時間の前及び後の前記ＤＳＬリンクに隣接する１つ以上のＤＳＬリンクに関連する雑音を比較することを備える、請求項１に記載の方法。
【請求項６】
前記ＤＳＬリンクに関連する前記雑音の前記記録される特性化に応答して前記ＤＳＬリンクを再構成するステップをさらに備える、請求項１に記載の方法。
【請求項７】
前記雑音の差異が前記ＤＳＬリンクに関連する固定雑音として特性化される場合、前記ＤＳＬリンクを再構成するステップは、
前記ＤＳＬリンクに関連する全ての周波数に対するターゲット又は最大ＳＮＲマージンを増加させるステップと、
前記ＤＳＬリンクに関連する前記固定雑音によって影響を受ける雑音に対するターゲット又は最大ＳＮＲマージンを増加させるステップと、
前記影響を受ける周波数を無効にするステップと、
前記影響を受ける周波数が、ビットスワップを介してロードビットの関連する数を増加させることを防ぐステップと、
前記影響を受ける周波数が、予め定められる閾値を超えてビットスワップを介してロードビットの前記関連する数を増加させることを防ぐステップと、
のうちの少なくとも１つを備える、請求項6に記載の方法。
【請求項８】
前記雑音の差異が重大なインパルス雑音イベントとして特性化される場合、前記ＤＳＬリンクを再構成するステップは、再訓練閾値を調整するステップを備え、
再訓練閾値の調整は、
ＭＩＮＳＮＲＭと、
再訓練をトリガするコード違反に対する閾値と、
再訓練をトリガするデコーダエラーに対する閾値と、
のうちの少なくとも１つの調節を備える、請求項６に記載の方法。
【請求項９】
前記ＤＳＬリンクの品質のレベルを示す性能監視データの分布を受信するステップと、
前記性能監視データの分布が、第３の最小閾値を上回る又は下回る前記ＤＳＬリンクの前記品質のレベルを示すかどうかを決定するステップと、  
前記性能監視データの分布が、前記第３の最小閾値を下回る決定に応答して、前記ＤＳＬリンクに関連する任意のインパルス雑音イベントが断続的または持続的であるかどうかを特性化するステップと、
前記性能監視データの分布が、前記第３の最小閾値を下回る決定に応答して、前記ＤＳＬリンクに関連する前記インパルス雑音イベントの前記特性化を記録するステップであって、前記インパルス雑音イベントの各々に関連する日付、時間、継続期間、及び影響を受ける周波数のうちの少なくとも１つを記録することを含むステップと、
をさらに備える、請求項１に記載の方法。
【請求項１０】
前記性能監視データの分布が、第３の最小閾値を上回る又は下回る前記ＤＳＬリンクの品質のレベルを示すかどうかを決定するステップは、前記分布に関して、ＣＶ、ＥＳ、ＳＥＳ、ＵＡＳ、ＬＯＳＳ、ＵＡＳ、またはそれらの導出のカウントのうちの少なくとも１つを測定するステップを備える、請求項９に記載の方法。
【請求項１１】
前記ＤＳＬリンクに関連する任意のインパルス雑音イベントが断続的または持続的であるかどうかを特性化するステップは、前記インパルス雑音イベントの継続期間を決定するステップを備える、請求項９に記載の方法。
【請求項１２】
前記ＤＳＬリンクに関連する前記インパルス雑音イベントが断続的として特性化されるかどうかを決定するステップと、
インパルス雑音イベントの前記記録される特性化に応答して、前記ＤＳＬリンクを再構成するステップであって、前記ＤＳＬリンクに関連する前記インパルス雑音イベントが断続的として特性化されることに応答して、前記ＤＳＬリンクに対するインパルス雑音保護に関連する設定を増加させるステップをさらに備える、請求項９に記載の方法。
【請求項１３】
前記ＤＳＬリンクに対するインパルス雑音保護に関する設定を増加させるステップは、
推定されるインパルス雑音幅よりも大きく最小インパルス雑音保護を設定するステップと、
推定されるインパルス雑音期間よりも小さく最大インターリーバ遅延を設定するステップと、
遅延バジェットよりも小さく最大インターリーバ遅延を設定するステップと、
ＲＳ符号語内の全バイトからの割合として推定エラーバイト数によって乗じられるｘよりも大きく最小ＲＳオーバヘッドを設定するステップであって、ｘは抹消復号化無しで２の値と等しく、かつｘは抹消復号化有りで２より小さくかつ１以上の間の値と等しいステップと、
推定されるインパルス雑音幅よりも大きく最小インパルス雑音保護を設定するステップと、
最小ＲＳオーバヘッド＞ｘ＊（ＲＳ符号語内の全バイトからの割合としての推定エラーバイト数）に設定するステップであって、抹消復号化無しでｘ＝２であり、かつ抹消復号化有りで１＝＜ｘ＜２であるステップと、
のうちの少なくとも１つを備える、請求項１２に記載の方法。
【請求項１４】
前記ＤＳＬリンクに関連する前記インパルス雑音イベントが持続的として特性化される場合、前記ＤＳＬリンクを再構成するステップは、前記ＤＳＬリンクに対するインパルス雑音保護に関連する設定を増加させるステップであって、
影響を受ける周波数がより小さいビット数（ＢＣＡＰ［ｎ］）をロードするように強いるステップと、
影響を受けるトーンを無効にするステップと、
影響を受けるトーンに対するＰＳＤＭＡＳＫまたはターゲットマージンを増加させるステップと、
を有するステップを備える、請求項１２に記載の方法。
【請求項１５】
ＤＳＬリンクに関連する雑音を特性化する装置であって、
ＤＳＬリンクの安定性のレベルを示すデータを受信する収集手段と、
前記データが、第１の最小閾値を上回る又は下回る前記ＤＳＬリンクの安定性のレベルを示すかどうかを決定する解析手段と、  
前記ＤＳＬリンクの安定性の前記レベルが前記第１の最小閾値を下回るとの決定に応答して、故障時の前の前記ＤＳＬリンクに関連する雑音と前記故障時の後の前記ＤＳＬリンクに関連する雑音とを比較する手段であって、
故障時の前の前記ＤＳＬリンクに関連する前記雑音及び前記故障時の後の前記ＤＳＬリンクに関連する前記雑音間の第２の閾値を超える差異が、前記ＤＳＬリンクに関連する固定雑音として特性化され、かつ
故障時の前の前記ＤＳＬリンクに関連する前記雑音及び前記故障時の後の前記ＤＳＬリンクに関連する前記雑音間の前記第２の閾値を下回る差異が、前記故障が前記ＤＳＬリンクへの電力損失に関連するかどうか又は前記故障が重大なインパルス雑音イベントに関連するかどうかのさらなる決定に従って特性化される手段と、
前記ＤＳＬリンクの安定性の前記レベルが前記第１の最小閾値を下回るとの決定に応答して、故障時の前の前記ＤＳＬリンクに関連する雑音と前記故障時の後の前記ＤＳＬリンクに関連する前記雑音間の前記差異の前記特性化を記録する手段と、
を備える、装置。